(57)【特許請求の範囲】
【請求項１】
スノーボードを含むスポーツ用品（スポーツ靴を着脱可能に固定するものに限る）に取り付けられる基板（２）と、該基板（２）上に回転自在に設けられた歯付きリング（１１）とを備え、該歯付きリング（１１）はスポーツ靴の出し入れ位置と、スポーツ靴を固定する位置との間を回転可能に設けられ、
該スポーツ靴の出し入れ位置において歯付きリング（１１）上にスポーツ靴を載せて該スポーツ靴を回転させることで該歯付きリング（１１）を該スポーツ靴を固定する位置まで回転させて該スポーツ靴を歯付きリング（１１）に固定すると共に該歯付きリング（１１）を基板（２）に固定することで該スポーツ靴を前記スポーツ用品に固定する連結装置であって、
前記スポーツ靴を固定する位置において前記スポーツ靴に設けられた間隙に結合して該スポーツ靴を前記歯付きリング（１１）に固定する靴固定要素（１９，２０）を前記歯付きリング（１１）に突出させて設け、
前記スポーツ靴を固定する位置において前記歯付きリング（１１）を前記基板（２）に結合させることで前記歯付きリング（１１）を前記基板（２）に固定するリング固定要素（１５，１８）を歯付きリング（１１）及び基板（２）に設け、
前記スポーツ靴の出し入れ位置において歯付きリング（１１）上にスポーツ靴を載せて該歯付きリング（１１）を該スポーツ靴と共にスポーツ靴の出し入れ位置からスポーツ靴を固定する位置まで回転させることで、該スポーツ靴を固定する位置において、前記靴固定要素（１９，２０）を前記スポーツ靴に設けられた間隙に結合させて該スポーツ靴を前記歯付きリング（１１）に固定し、且つ、前記リング固定要素（１５，１８）によって該歯付きリング（１１）を基板（２）に固定することでスポーツ靴を前記スポーツ用品に固定することを特徴とするスポーツ靴を固定する連結装置。
【請求項２】
前記基板（２）に内部歯列（８）を設け、前記歯付きリング（１１）の外周に該内部歯列（８）に対面する歯（１０）を設け、歯付きリング（１１）の歯（１０）と内部歯列（８）とに噛み合う歯車（９）を設け、スポーツ靴の底に設けられている孔に該歯車（９）のスピンドル（１２）を嵌り込ませることで、該スポーツ靴を回転させて歯車（９）を回転移動させることによって歯付きリング（１１）を前記スポーツ靴の出し入れ位置と、スポーツ靴を固定する位置との間を回転させることを特徴とする請求項１に記載のスポーツ靴を固定する連結装置。
【請求項３】
前記歯車（９）のスピンドル（１２）の自由端部がテーパーを成していることを特徴とする請求項２に記載のスポーツ靴を固定する連結装置。
【請求項４】
前記スポーツ靴を固定する位置においてスポーツ靴に結合して該スポーツ靴を基板（２）に固定する靴固定要素（２７，２８）を基板（２）に備えたことを特徴とする請求項１乃至請求項３のいずれか１項に記載のスポーツ靴を固定する連結装置。
【発明の詳細な説明】
【０００１】
【発明の属する技術分野】
本発明は、スポーツ靴と、スポーツ用品、好ましくはスノウボード、とを連結するための、随意に閉じることができ、かつ離すことができる連結装置であって、スポーツ用品の上に固定して装着できる基板を有し、基板の上に靴底を支持して留めることができ、この目的のために、靴底には前記装置の固定要素を受け入れるための横間隙が設けられ、固定要素の２つが基板の上に、靴のための中心ピボットに関して、相互に直径方向に向き合って固定して設けられている、スポーツ靴とスポーツ用品を連結するための、随意に閉じることができ、かつ離すことができる連結装置に関する。
【０００２】
【従来の技術】
スノウボードおよびスノウボード靴のための多数の連結装置が実際のものから、または文献に記載されている従来技術から知られている。たとえば、ドイツ実用新案出願９４  １３  ３５６  Ｕ１を参照できる。
【０００３】
ここで提案されている連結装置は靴底の長手方向側に係合する少なくとも２つの靴保持要素と、ばねの力に抗して作動させることができ、靴が装置に取り付けられた、ばねの力に抗して作用する作動部を有する少なくとも１つの固定手段を有し、固定手段は靴が作動部に作用することによって開放位置から保持位置へ移される。
【０００４】
スノウボード靴とスノウボードとを連結するための他の公知の連結装置と比較して、上記連結装置は、極めて細いスノウボードでも何等問題なしに鋭く切り詰められたスイング（ｔｒｕｎｃａｔｅｄ  ｓｗｉｎｇ）を行うことができるように、連結装置の長手方向の長さを短い構造のものにできるものでなければならない。さらに、靴が取り付けられた後で連結装置を手動で締め付けることが避けられる。
【０００５】
「踏み込み（ｓｔｅｐ  ｉｎ）」、すなわち、靴の後端部を基板へ向かって押し下げることによって対応する固定手段の開放位置からその保持位置へその固定手段を移動させること、がオプションによってできるようになっている連結装置の種々の構成に加えて、使用位置に関して靴が基板上に斜めに配置され、かつその後で垂直軸を中心として回転することによってその保持位置へ移動させることができる連結装置の構造も示されている。
【０００６】
靴底が降ろされるとき、それは基板に関して突き出ている作動部をばねの力に抗して下へ押し、回転運動が終わった時にそれを離す。作動部はばねの力によって再び押し上げられ、その後それは固定手段として用いられる。ピボット軸に関して相互に直径方向に向き合って配置されている２つの固定されている側面部が、別の固定手段として基板に設けられている。
【０００７】
【発明が解決しようとする課題】
靴が基板から持ち上がること、および基板上で移動させられることがないように靴を固定する横固定要素を２つだけ有する他の公知の構造と同様に、この構造にはスノウボードと靴との間の連結が不適切であるという欠点がある。その不適切な連結のためにスノウボードを正確に案内できず、極端な状況や急な地勢ではとくにそうであり、そのために使用者は不安定になって危険にさらされることになる。
【０００８】
「よじり込み（ｔｗｉｓｔ  ｉｎ）」原理と比較して連結装置を閉じるためのこの「踏み込み（ｓｔｅｐ  ｉｎ）」原理は、必要な固定を行えるように、靴を取り付ける前に雪や氷がほとんど付着していないようにしなければならないという装置の大きな欠点がある。
【０００９】
公知の、上記よじり込み結合から出発して、本発明の目的は、スポーツ用品上の使用位置に靴を最適に固定し、その結果として、あらゆる状況において使用者がスポーツ用品を容易に制御でき、かつ正確に操ることができる連結装置を得ることである。
【００１０】
【課題を解決するための手段】
請求項１に記載の発明は、スノーボードを含むスポーツ用品（スポーツ靴を着脱可能に固定するものに限る）に取り付けられる基板（２）と、該基板（２）上に回転自在に設けられた歯付きリング（１１）とを備え、該歯付きリング（１１）はスポーツ靴の出し入れ位置と、スポーツ靴を固定する位置との間を回転可能に設けられ、
該スポーツ靴の出し入れ位置において歯付きリング（１１）上にスポーツ靴を載せて該スポーツ靴を回転させることで該歯付きリング（１１）を該スポーツ靴を固定する位置まで回転させて該スポーツ靴を歯付きリング（１１）に固定すると共に該歯付きリング（１１）を基板（２）に固定することで該スポーツ靴を前記スポーツ用品に固定する連結装置であって、
前記スポーツ靴を固定する位置において前記スポーツ靴に設けられた間隙に結合して該スポーツ靴を前記歯付きリング（１１）に固定する靴固定要素（１９，２０）を前記歯付きリング（１１）に突出させて設け、
前記スポーツ靴を固定する位置において前記歯付きリング（１１）を前記基板（２）に結合させることで前記歯付きリング（１１）を前記基板（２）に固定するリング固定要素（１５，１８）を歯付きリング（１１）及び基板（２）に設け、
前記スポーツ靴の出し入れ位置において歯付きリング（１１）上にスポーツ靴を載せて該歯付きリング（１１）を該スポーツ靴と共にスポーツ靴の出し入れ位置からスポーツ靴を固定する位置まで回転させることで、該スポーツ靴を固定する位置において、前記靴固定要素（１９，２０）を前記スポーツ靴に設けられた間隙に結合させて該スポーツ靴を前記歯付きリング（１１）に固定し、且つ、前記リング固定要素（１５，１８）によって該歯付きリング（１１）を基板（２）に固定することでスポーツ靴を前記スポーツ用品に固定することを特徴とするスポーツ靴を固定する連結装置である。
【００１１】
請求項２に記載の発明は、請求項１に記載の発明において、基板（２）に内部歯列（８）を設け、前記歯付きリング（１１）の外周に該内部歯列（８）に対面する歯（１０）を設け、歯付きリング（１１）の歯（１０）と内部歯列（８）とに噛み合う歯車（９）を設け、スポーツ靴の底に設けられている孔に該歯車（９）のスピンドル（１２）を嵌り込ませることで、該スポーツ靴を回転させて歯車（９）を回転移動させることによって歯付きリング（１１）を前記スポーツ靴の出し入れ位置と、スポーツ靴を固定する位置との間を回転させることを特徴とするものである。
【００１２】
請求項３に記載の発明は、請求項２に記載の発明において、歯車（９）のスピンドル（１２）の自由端部がテーパーを成していることを特徴とするものである。
【００１３】
請求項４に記載の発明は、請求項１乃至請求項３のいずれか１項に記載の発明において、スポーツ靴を固定する位置においてスポーツ靴に結合して該スポーツ靴を基板（２）に固定する靴固定要素（２７，２８）を基板（２）に備えたことを特徴とするものである。
【００２３】
【発明の実施の形態】
次に、本発明の実施形態について図面を参照して説明する。
【００２４】
示されている連結装置はスノウボード靴をスノウボードに連結するために用いられる。スノウボード靴、すなわちそれの底がほとんどの図に１点鎖線で示されているが、スノウボードの図は示されていない。図示の構成の全てにおいて、それぞれの基板は、その中央部に、４個の細長い穴１を有する。それらの穴１は基板２の中心点を中心として湾曲させられており、既知の方法で留めねじを受けるように作用する。既に基本的に知られているように、使用されるスノウボード靴は固定された底を有し、その底には間隙が設けられている。
【００２５】
本発明の重要な特徴は、連結装置が靴底の各側に２個の固定要素を有し、それらの要素が相互に直径方向に向き合って対となって配置されていることである。
【００２６】
図１ないし図５に示す構成は基板２を備える。各場合にその基板２はその２つの長手方向側面の中央領域に壁３または４を支持する。靴の底を壁の間に挿入でき、かつ十分な程度に回ることができるように壁３、４の内側は構成され、かつ相互に隔てられている。基板２の環状溝５は前部６と後部７が拡張され、この領域では、内側に歯列８が設けられている。遊星歯車のようにして構成されている２枚の歯車９がそれらの歯列８にかみあい、他方では、基板２の環状溝５の内部に装着されている歯付きリング１１に設けられている歯１０にかみ合っている。歯車９のスピンドル１２が基板２の細長い穴１３の中に挿入されている。それらの細長い穴１３は中心ピボットを中心として湾曲させられている。
【００２７】
図３からわかるように、歯車のスピンドル１２は基板２から上方へ延び、その自由端部がテーパーを成している。それらの自由端部によってスピンドル１２は、靴底内の対応する穴に係合でき、かつ、連結装置を閉じ、または解放する、歯車機構の駆動要素として用いられるドライバを構成する。連結装置の閉じられた位置では２つのドライバ１２は垂直長手方向の中央平面（図２参照）内にある。
【００２８】
連結装置の閉じる位置を確保するために、ピン１５の下端部１４によって構成されている固定要素が設けられている。ピン１５は基板２の壁４の垂直くぼみ１６内に設けられている。そのピン１５の上端部が壁４から突き出ている。ピン１５はばね１７によって下に向かって押されており、その結果として固定位置において連結装置が意図しないのに解放されることが可能でなくなる。ピン１５の下端部１４の係合のために用いられる、歯付きリング１１の穴１８を図１に見ることができる。
【００２９】
歯付きリング１１は２つの固定要素１９、２０を支持している。それらの要素１９、２０は歯付きリング１１と一体の構成であって、それぞれの二重曲り部２１または２２の端部をそれぞれ通って達する。それらの曲りは基板２内のスロット２３、２４を通って延びている。それらのスロット２３、２４は壁３と４との十分に大きいくぼみ２５、２６の中に開いている（特に図４参照）。最後に、各側壁３または４は固定要素２７または２８をそれぞれさらに支持している。動くことができないようにして壁４内に装着されているそれらの固定要素２７、２８は、靴の中心ピボットに関して、相互に直径方向に向き合って配置されている。
【００３０】
図１は出入り位置にある連結装置を示す。この位置では、靴を基板２から簡単に持ち上げることができる。連結装置に入れる時は、１点鎖線で示されている基板２上の位置内に靴を降ろすことができる。この場合には、ドライバとして用いられているスピンドル１２の自由端部が、靴底に対応して設けられている穴の中に入る。靴が入れられた時に、前方への動きと同時にその靴が配置させられる結果となるように、少なくとも前方穴が靴の先端部に向かって拡げられているならば便利である。他の種類の連結装置から知られているように、靴底の各側には固定要素を受けるための２つの間隙が設けられている。
【００３１】
基板２上で靴が図１に示されている位置から図２に示されている位置まで回されると、歯車９がそのスピンドル１２によって駆動させられる。基板２の内部歯８とかみ合っているために、歯付きリング１１の回り角度が対応して大きい結果となる。靴が回ると、固定されている固定要素２７と２８は靴底に設けられている間隙の中に入る。同時に、靴底に対する歯付きリング１１の相対運動が、運動が終わった時にそれらの固定要素２７、２８が靴底の対応する横間隙の中に同様に入るように、固定要素１９と２０によって起きる。さらに、回り運動の終りの直後にピン１５の下端部１４が歯付きリング１１の穴１８に掛かる。それによって歯車は基板２内に留められ、したがって、靴も基板２上に固定される。固定要素２７、２８は、靴が回転したり、上昇して基板２から離れたりしないように基板２上に靴を固定する。靴が回らないように靴はスピンドル１２によってなお一層固定される。
【００３２】
靴を離すためには、ばね１７の力より強い逆向きの力を加え、したがって、歯車１１を離すことによって、ピン１５の固定を解除することが必要なだけである。ピン１５は特殊なハンドル、たとえば、キャッチストラップ、を用いて引くことができるので便利である。キャッチストラップを連結するために、ピン１５の自由端部に穴２９が設けられている。靴を図２に示す位置から図１に示す位置へ回すことによって、靴底の間隙から固定要素２７、２８が最後に離れる。そうすると靴は基板２から簡単に持ち上げることができる。
【００３３】
図６ないし図８に示す構成では、横壁３３と３４を支持する基板３２が再び設けられている。また、前方拡大部３６と広報拡大部３７を有する環状くぼみ３５も同様に存在する。この場合には、くぼみの内部に突起３９と４０によって拡大部３６、３７内に係合する環状円板３８が装着されている。それらの突起３９、４０は上方へ直角に延びるピン４１を各々の支持する第１の実施形態の場合におけるように、ピン４１は、基板３２内の、中心ピボットを中心として湾曲させられている細長い穴４２を通って延びている。第１の構成におけるように、各横壁３３、３４に固定配置された固定要素４３、４４が設けられている。しかし、この場合には、各場合に別の固定要素が回転ロック４５または４６として各横壁３３、３４に形成されている。それらの回転ロック４５、４６は、それぞれの横壁３３、３４内のスピンドル４７または４８を中心として回ることができる。各回転ロック４５、４６の外端部側はカム面として構成され、そのカム面に沿ってそれぞれのローラー４９または５０が転がることができる。円板３８に、図８でわかるように、Ｚ形に曲げられて各場合にスピンドル５２によってローラー４９または５０を支持する、２つの別の突起５１が設けられている。この場合には、回転ロック４５、４６をばねによって開く向きに装着することが不要になる。このために、回転ロック４５、４６は、短いレバーアームが開放ラグ５３または５４を形成する曲がったレバーとして構成されている。この場合には、カム曲線はラグ５３または５４の端部まで延びている。
【００３４】
環状円板３８が回転しないように固定するため、したがって、歯車機構を閉じられた位置に固定するための固定装置は、図１ないし図５を参照して説明した連結装置の構成の装置に一致する。それらの図をここで参照する。
【００３５】
この連結装置の機能は原理的には図１ないし図５に示す連結装置に一致する。図６は出し入れ位置を示す。１点鎖線によって示されている靴底は全ての固定要素から自由になっていることを示す。靴底が図６に示す位置から図７に示す位置へ移動させられると、環状円板３８はピン４１によって回され、回転ロック４５、４６は同様にローラー４９、５０によって回転ロック４９、５０のスピンドル４７、４８を中心として正確に回される。動きが終わると固定要素４３、４４の全てが靴底の対応する間隙に係合する。同様に、回り運動が終わると、ピン１５は環状円板３８の穴１８の中に係合もする。
【００３６】
靴を離すためには、ピン１５を穴１８から引き出し、靴を図６に示す位置まで再び回すことが必要なだけである。
【００３７】
図９ないし図１２は本発明の連結装置の第３の実施形態を示す。５７で示されている基板は横壁５８、５９を再び支持する。基板５７に前の構成におけるように、前方拡大部６１と後方拡大部６２を有する環状の溝６０が設けられている。前記構成におけるのと同様に、基板５７には、中心ピボットを中心として湾曲させられ、ドライバとして作用するピン６４が貫通して延びる、細長い穴６３が再び設けられている。それらのドライバは、基板５７の環状の溝６０の内部に装着させられている環状の円板６７の突起６５、６６の上に配置させられている。円板６７の上には基板５７中に２つの同一のスライダ７０を受け入れる。２つの案内面６８、６９が設けられている。それらのスライダ７０は内端部が曲げられており、それらの曲り部に細長い穴７１を有する。穴７１の幅はピン６４の直径に対応し、各場合にそれらの穴７１をピンの１本が通る（特に図１１を参照）。平らな材料から製作されているスライダ７０の外端部が折り曲げられ、かつ再び折り返されている（特に図１２参照）。７２で示されているそれらの折り返されている部分によって２つのスライダ７０のおのおのは固定要素を形成している。スライダ７０のこの端部を受け入れるために、基板の滑斜路６８、６９は各場合に横壁５８、５９の適切に寸法を定められている１つのくぼみ７３に開いている。前記構成の場合におけるように、固定要素７４は横壁５８内にきつく固定され、固定要素７５は横壁５９内にきつく固定されている。
【００３８】
図９および図１０において、固定歯止め７６として構成されて、スピンドル７７を中心として回ることができる固定要素を一層良く示すために、横壁５９は部分的に切り開かれている。固定歯止め７６は環状円板６７の平面内に配置されている。環状円板６７の縁部におけるくぼみが、装置が閉じられている位置（図１０参照）では固定歯止め７６が背後で係合する固定歯７８を形成させる。固定歯止め７６は概ねＴ形の構成である。固定歯止め７６の延びた部分のアームにばね７９によって力が加えられ、ウエブは作動ハンドルとして作用する。
【００３９】
図９は出入り位置における連結装置を示す。靴を回すことによって、装置は図１０に示す位置へ移動させられる。この位置に達すると、固定歯止め７６が固定歯７８を背後で係合することによって環状円板６７の位置を固定し、それによって固定要素によって靴の固定も行う。この場合には、靴を離すためには、固定歯７８との係合から離れるまで、固定歯止め７６をばね７９の力に抗して時計回りに回すことが必要なだけである。
【図面の簡単な説明】
【図１】開かれた状態における連結装置の平面図である。
【図２】連結装置の閉じられた状態における図１に対応する平面図である。
【図３】図２のＡ−Ａ線に沿う連結装置の縦断面図である。
【図４】図２のＢ−Ｂ線に沿う連結装置の横断面図である。
【図５】図１のＣ−Ｃ線に沿う部分断面図である。
【図６】再び開かれた状態における連結装置の第２の構成の平面図である。
【図７】連結装置の閉じられた状態における図６に対応する平面図である。
【図８】図７のＤ−Ｄ線に沿う連結装置の横断面図である。
【図９】開かれた状態における連結装置の第３の構成の平面図である。
【図１０】連結装置の閉じられた状態における図９に対応する平面図である。
【図１１】図１０のＥ−Ｅ線に沿う連結装置の縦断面図である。
【図１２】図９での矢印Ｆの向きにおける連結装置の側面図である。
【符号の説明】
１  細長い穴
２、３２、５７  基板
３、４  壁
５、６０  環状溝
６、３６、６１  前方拡大部
７、３７、６２  後方拡大部
８  内部歯列
９  歯車
１０  歯
１１  歯付きリング
１２、４７、４８、５２、７７  スピンドル
１３、４２、６３、７１  細長い穴
１４  ピン１５の下端部
１５、４１、６４  ピン
１６、２６  壁４のくぼみ
１７、７９  ばね
１８  歯付きリング１１の穴
１９、２０、２７、２８、４３、４４、７４、７５  固定要素
２１、２２  二重曲り部
２３、２４  スロット
２５  壁３のくぼみ
２９  穴
３３、３４、５８、５９  横壁
３５  環状くぼみ
３８、６７  環状円板
３９、４０、５１、６５、６６  突起
４５、４６  回転ロック
４９、５０  ローラー
５３、５４  開放ラグ
６８、６９  滑斜路
７０  スライダ
７２  折り返された部分
７３  くぼみ
７６  固定歯止め
７８  固定歯
【図１】
0004228156.tif 000002
【図２】
0004228156.tif 000003
【図３】
0004228156.tif 000004
【図４】
0004228156.tif 000005
【図５】
0004228156.tif 000006
【図６】
0004228156.tif 000007
【図７】
0004228156.tif 000008
【図８】
0004228156.tif 000009
【図９】
0004228156.tif 000010
【図１０】
0004228156.tif 000011
【図１１】
0004228156.tif 000012
【図１２】
0004228156.tif 000013